(57)【要約】    【課題】  電子透かしの埋め込まれたコンテンツを正当なユーザおよび正当なコンテンツ再生機器で再生する場合は、その電子透かしを除去して再生可能とする。    【解決手段】  コンテンツ再生機器２２のフラッシュＲＯＭ２２１にユーザから秘匿された暗号鍵を書き込むととともに、コンテンツ提供サーバ１の顧客データベース１１には、コンテンツ再生機器２２に書き込まれた暗号鍵とコンテンツ再生機器２２を管理するユーザＩＤとをコンテンツ再生機器２２固有の機器情報を介して関連付けて登録し、当該ユーザからのコンテンツ要求を受けると、配布すべきコンテンツに、配布先のコンテンツ再生機器２２に対応する暗号鍵を用いて電子透かし情報を電子透かし埋め込み手段１３で埋め込んで提供する。一方、コンテンツ再生機器２２側では取得したコンテンツから電子透かしを分離する処理を行い、適正に分離された場合には、電子透かしを除去したコンテンツを出力する。【選択図】      図１
2005080185.tif 000002
【特許請求の範囲】
【請求項１】
ディジタル化されたコンテンツの提供が可能なコンテンツ提供サーバであって、
コンテンツの再生が可能なコンテンツ再生機器に記録された暗号鍵と当該コンテンツ再生機器を管理するユーザに与えられたユーザ固有情報とを関連付けて登録する顧客データベースと、
あるユーザにコンテンツを提供する場合、前記顧客データベースから当該ユーザに与えられたユーザ固有情報に基づいて暗号鍵を取得し、取得した暗号鍵を用いて、提供すべきコンテンツに電子透かしを埋め込む電子透かし埋め込み手段と、
を有することを特徴とするコンテンツ提供サーバ。
【請求項２】
前記コンテンツ再生機器に記録された暗号鍵と当該コンテンツ再生機器を管理するユーザに与えられたユーザ固有情報との関連付けは、前記コンテンツ再生機器に記録された暗号鍵と当該コンテンツ再生機器の有する固有の機器情報とを関連付けし、かつ、その機器情報と当該コンテンツ再生機器を管理するユーザのユーザ固有情報とを関連付けることで行うことを特徴とする請求項１記載のコンテンツ提供サーバ。
【請求項３】
前記電子透かしは、可視の電子透かしと不可視の電子透かしの少なくとも一方であることを特徴とする請求項１または２記載のコンテンツ提供サーバ。
【請求項４】
前記コンテンツ再生機器が１人のユーザについて複数存在する場合、その１人のユーザに与えられたユーザ固有情報でコンテンツ再生機器ごとの暗号鍵を管理可能とすることを特徴とする請求項１から３のいずれかに記載のコンテンツ提供サーバ。
【請求項５】
前記請求項１から４のいずれかに記載のコンテンツ提供サーバから提供されたディジタル化されたコンテンツをアナログ情報として再生可能なコンテンツ再生機器であって、
自身に与えられた暗号鍵を記録可能な記録手段と、
再生すべきコンテンツに対し埋め込まれた電子透かしを前記記録手段に記録された暗号鍵を用いて分離処理を行う電子透かし分離手段と、
この電子透かし分離手段での分離処理結果に基づいて、前記コンテンツに埋め込まれた電子透かしが適正に分離されたか否か判定する分離結果判定手段と、
前記コンテンツをアナログ情報のコンテンツとして再生処理するコンテンツ再生処理手段と、
を有し、前記分離結果判定手段によって電子透かしが適正に分離されたと判定された場合には、その電子透かしを除去したコンテンツを前記コンテンツ再生処理手段で再生処理することを特徴とするコンテンツ再生機器。
【請求項６】
前記分離結果判定手段によって電子透かしが適正に分離されなかったと判定された場合は、電子透かしの埋め込まれたコンテンツを前記コンテンツ再生処理手段で再生処理することを特徴とする請求項５記載のコンテンツ再生機器。
【請求項７】
前記コンテンツ再生機器に記録された暗号鍵は、そのコンテンツ再生機器を管理するユーザから秘匿された状態で記録されることを特徴とする請求項５または６記載のコンテンツ再生機器。
【請求項８】
ディジタル化されたコンテンツの提供が可能なコンテンツ提供サーバと、このコンテンツ提供サーバから提供されるディジタル化されたコンテンツを取得してアナログ情報として再生可能なコンテンツ再生機器とを含むコンテンツ提供システムであって、
前記コンテンツ提供サーバは前記請求項１から４のいずれかに記載のコンテンツ提供サーバであって、前記コンテンツ再生機器は、前記請求項５から７のいずれかに記載のコンテンツ再生機器であることを特徴とするコンテンツ提供システム。
【請求項９】
ディジタル化されたコンテンツの提供が可能なコンテンツ提供方法であって、
コンテンツの再生が可能なコンテンツ再生機器に書き込まれた暗号鍵と当該コンテンツ再生機器を管理するユーザに与えられたユーザ固有情報とを関連付けて顧客データベースに登録する登録ステップと、
あるユーザにコンテンツを提供する場合、前記顧客データベースから当該ユーザに与えられたユーザ固有情報に基づいて暗号鍵を取得し、取得した暗号鍵を用いて、提供すべきコンテンツに電子透かしを埋め込む電子透かし埋め込みステップと、
を有することを特徴とするコンテンツ提供方法。
【請求項１０】
前記請求項９記載のコンテンツ提供方法により提供されたディジタル化されたコンテンツをアナログ情報として再生可能なコンテンツ再生機器上でコンテンツ再生を行うコンテンツ再生方法であって、
前記提供されたコンテンツに対し、前記コンテンツ提供サーバ側において暗号鍵を用いて埋め込まれた電子透かしを、自身に与えられた暗号鍵を用いて分離処理する電子透かし分離ステップと、
この電子透かし分離ステップでの分離処理結果に基づいて、前記コンテンツに埋め込まれた電子透かしが適正に分離されたか否か判定する分離結果判定ステップと、
前記分離結果判定ステップによって電子透かしが適正に分離されたと判定された場合には、その電子透かしを除去したコンテンツを再生処理するコンテンツ再生処理ステップと、
を有することを特徴とするコンテンツ再生方法。
【発明の詳細な説明】
【技術分野】
【０００１】
本発明は、コンテンツ提供サーバおよびコンテンツ再生機器ならびにコンテンツ提供システム、コンテンツ提供方法、コンテンツ再生方法に関する。
【背景技術】
【０００２】
ディジタル化されたコンテンツ（単にコンテンツという）をインターネットなどで提供する際、コンテンツの著作権などの権利を保護するために、電子透かしを挿入することが一般的に行われている。
電子透かしは、コンテンツの不正利用の抑制は勿論、不正に複製された場合にその不正利用者を特定するといった効果もある。
【０００３】
コンテンツ提供システムにおいて、可視の電子透かしと不可視の電子透かしを二重に埋め込む場合がある。この場合、可視の電子透かしは、著作権を持ったコンテンツであることを明示することを目的とし、特定の条件が満たされたとき（たとえば、購入手続きを行ったときなど）に、電子透かしの除去を可能としている。
一方、不可視の電子透かしは、コンテンツの不正利用を追跡するために利用され、電子透かしは除去しないのが一般的である。
【０００４】
たとえば、特開２００２−２３６６６９号公報に記載の「コンテンツ販売システム」もその一例である。
この技術は、コンテンツに不可視の電子透かしと可視の電子透かしを埋め込むもので、可視の電子透かしは、たとえば、「見本」などの表示をユーザに見えるように埋め込む。ユーザがそのコンテンツを購入すると、ユーザは可視の電子透かしを除去できる暗号鍵を受け取り、その暗号鍵で可視の電子透かしを除去する。
【０００５】
一方、不可視の電子透かしは、コンテンツの不正利用を追跡するために利用するというものである。
不可視の電子透かしはユーザには認識できないように埋め込むのが基本であるが、付加情報を埋め込むという点で、コンテンツの劣化は避けられない。特に高解像度コンテンツの場合、コンテンツの劣化が視認されることがある。
【特許文献１】特開２００２−２３６６６９号公報
【発明の開示】
【発明が解決しようとする課題】
【０００６】
上述の従来技術によれば、可視の電子透かしは確かに除去できるが、不可視の電子透かしは埋め込まれたままである。不可視の電子透かしが埋め込まれていると、前述したように、コンテンツの劣化が視認される問題がある。
【０００７】
そこで、可視の電子透かしと同様に、暗号鍵を渡して不可視の電子透かしを除去する方法が考えられるが、電子透かしが除去されると不正利用の抑止効果やコンテンツの追跡機能が消失するという問題がある。
【０００８】
本発明は、電子透かしの埋め込まれたコンテンツを利用する場合、それを利用するユーザやそれを再生するコンテンツ再生機器が正当であると判定された場合は、コンテンツ再生機器側でコンテンツに埋め込まれた可視・不可視に係わらず電子透かしの除去を行うことを可能とし、さらに、電子透かしが除去されたコンテンツが不正利用されないことを可能としたコンテンツ提供サーバおよびコンテンツ再生機器ならびにコンテンツ提供システム、コンテンツ提供方法、コンテンツ再生方法を実現することを目的としている。
【課題を解決するための手段】
【０００９】
（１）本発明のコンテンツ提供サーバは、ディジタル化されたコンテンツの提供が可能なコンテンツ提供サーバであって、コンテンツの再生が可能なコンテンツ再生機器に記録された暗号鍵と当該コンテンツ再生機器を管理するユーザに与えられたユーザ固有情報とを関連付けて登録する顧客データベースと、あるユーザにコンテンツを提供する場合、前記顧客データベースから当該ユーザに与えられたユーザ固有情報に基づいて暗号鍵を取得し、取得した暗号鍵を用いて、提供すべきコンテンツに電子透かしを埋め込む電子透かし埋め込み手段とを有することを特徴としている。
【００１０】
このように、コンテンツ再生機器に記録された暗号鍵とそのコンテンツ再生機器を管理するユーザのユーザ固有情報（ユーザＩＤ）とを関連つけて登録し、かつ、その登録された暗号鍵を用いて、提供すべきコンテンツに電子透かしを埋め込むようにしているので、ユーザからのコンテンツ取得要求に対し、そのコンテンツを再生しようとするコンテンツ再生機器に対応した暗号鍵によって電子透かしを埋め込むことができる。
【００１１】
（２）前記（１）のコンテンツ提供サーバにおいて、前記コンテンツ再生機器に記録された暗号鍵と当該コンテンツ再生機器を管理するユーザに与えられたユーザ固有情報との関連付けは、前記コンテンツ再生機器に記録された暗号鍵と当該コンテンツ再生機器の有する固有の機器情報とを関連付けし、かつ、その機器情報と当該コンテンツ再生機器を管理するユーザのユーザ固有情報とを関連付けることで行うようにしている。
【００１２】
このように、ユーザの固有情報（ユーザＩＤ）と当該ユーザの管理するコンテンツ再生機器の暗号鍵との対応付けを、当該コンテンツ再生機器固有の機器情報（機器の製造番号など）を介して行うようにしているので、そのユーザからコンテンツ取得要求が出されたとき、当該ユーザのユーザ固有情報とコンテンツを再生しようとするコンテンツ再生機器の暗号鍵とを確実に関連付けることができる。
【００１３】
（３）前記（１）または（２）のコンテンツ提供サーバにおいて、前記電子透かしは、可視の電子透かしと不可視の電子透かしの少なくとも一方としている。
【００１４】
これは、埋め込む電子透かしは、可視・不可視の一方、また、その両方をも埋め込むことを可能とするということであり、これによって、より多様な電子透かしを埋め込むことができ、コンテンツの著作権などの保護を確実に行うことができる。
【００１５】
（４）前記（１）から（３）のいずれかのコンテンツ提供サーバにおいて、前記コンテンツ再生機器が１人のユーザについて複数存在する場合、その１人のユーザに与えられたユーザ固有情報でコンテンツ再生機器ごとの暗号鍵を管理可能としている。
【００１６】
これによって、１人のユーザが複数のコンテンツ再生機器を使用するような場合にも、それぞれのコンテンツ再生機器ごとに異なった暗号鍵を用いて電子透かしを埋め込むことができる。
【００１７】
（５）本発明のコンテンツ再生機器は、前記（１）から（４）のいずれかに記載のコンテンツ提供サーバから提供されたディジタル化されたコンテンツをアナログ情報として再生可能なコンテンツ再生機器であって、自身に与えられた暗号鍵を記録可能な記録手段と、再生すべきコンテンツに対し埋め込まれた電子透かしを前記記録手段に記録された暗号鍵を用いて分離処理を行う電子透かし分離手段と、この電子透かし分離手段での分離処理結果に基づいて、前記コンテンツに埋め込まれた電子透かしが適正に分離されたか否か判定する分離結果判定手段と、前記コンテンツをアナログ情報のコンテンツとして出力するコンテンツ再生処理手段とを有し、前記分離結果判定手段によって電子透かしが適正に分離されたと判定された場合には、その電子透かしを除去したコンテンツを前記コンテンツ再生処理手段で再生処理することを特徴としている。
【００１８】
これは、コンテンツ提供サーバから取得した電子透かしの埋め込まれたコンテンツ（ディジタル化されたコンテンツ）に対して、まずは、自身の記録手段に記録された暗号鍵を用いて電子透かしを分離する処理を試み、その分離処理によって電子透かしが適正に分離されたか否かを判定する。そして、電子透かしが適正に分離されれば、コンテンツ提供サーバ側で電子透かしの埋め込みに用いた暗号鍵とこのコンテンツ再生機器に記録された暗号鍵が対応付けられると判断できるので、このコンテンツ再生機器の正当性を判断することができる。
【００１９】
このように、コンテンツ再生機器の正当性が判断できた場合のみに、埋め込まれた電子透かしを除去したコンテンツを再生処理する。これによって、そのコンテンツ再生機器からは電子透かしの除去された高品質なコンテンツを得ることができる。
【００２０】
特に、コンテンツ再生機器が解像度の高いプリンタである場合、たとえ、埋め込まれた電子透かしが不可視の電子透かしであっても、その不可視の電子透かしの埋め込まれたコンテンツを印刷した場合、視認できるような劣化が認められることが多いが、本発明によれば、印刷処理の直前でその電子透かしが除去されるので、本来のコンテンツそのものを印刷することができるので、高品質な印刷結果を得ることができる。
【００２１】
また、本発明では、ディジタル化されたコンテンツをアナログ情報として出力、すなわち、上述したように、コンテンツ再生機器がたとえばプリンタである場合、コンテンツを印刷処理する直前、すなわちプリンタ内部で、電子透かしを除去するようにしているので、ＰＣなどのハードディスクに電子透かしの除去されたコンテンツ（ディジタル化されたままのコンテンツ）がコピーされる心配がなく、コンテンツの不正使用を防ぐことができる。
【００２２】
（６）前記（５）のコンテンツ再生機器において、前記分離結果判定手段によって電子透かしが適正に分離されなかったと判定された場合は、電子透かしの埋め込まれたコンテンツを前記コンテンツ再生処理手段で再生処理するようにしている。
【００２３】
これによって、仮に、分離結果判定手段によって電子透かしが適正に分離されないと判定されなかった場合でも、取得したコンテンツを電子透かしの埋め込まれた状態で出力させることが可能であるので、１人のユーザがコンテンツ再生機器としてたとえば複数のプリンタを所有していて、本来、そのコンテンツを再生すべきプリンタがその時点で使用できない状況にあるような場合、他のプリンタで取り敢えずはそのコンテンツを再生してみるというような使い方もできる。
【００２４】
（７）前記（５）または（６）記載のコンテンツ再生機器において、前記コンテンツ再生機器に記録された暗号鍵は、そのコンテンツ再生機器を管理するユーザから秘匿された状態で記録されるようにしている。
【００２５】
これによって、ユーザは自分の管理するコンテンツ再生機器に記録された暗号鍵を操作することはできないので、電子透かしを許可なく除去するといった不正使用を未然に防止することができる。
【００２６】
（８）本発明のコンテンツ提供システムは、ディジタル化されたコンテンツの提供が可能なコンテンツ提供サーバと、このコンテンツ提供サーバから提供されるディジタル化されたコンテンツを取得してアナログ情報として再生可能なコンテンツ再生機器とを含むコンテンツ提供システムであって、前記コンテンツ提供サーバは前記（１）から（４）のいずれかに記載のコンテンツ提供サーバであって、前記コンテンツ再生機器は、前記（５）から（７）のいずれかに記載のコンテンツ再生機器であることを特徴としている。
【００２７】
このように、コンテンツの提供先であるコンテンツ再生機器に記録された暗号鍵とそのコンテンツ再生機器を管理するユーザのユーザ固有情報（ユーザＩＤ）とを関連つけて登録し、かつ、その登録された暗号鍵を用いて電子透かしを提供すべきコンテンツに埋め込むようにしているので、ユーザからのコンテンツ取得要求に対し、そのコンテンツを再生しようとする再生機器に対応した暗号鍵によって電子透かしを埋め込むことができる。
【００２８】
一方、コンテンツ再生機器側では、コンテンツ再生機器の正当性が判断された場合のみに、埋め込まれた電子透かしを除去したコンテンツを出力することができる。これによって、そのコンテンツ再生機器からは電子透かしの除去されたコンテンツが出力されるので、高品質なコンテンツ再生が行える。
【００２９】
（９）本発明のコンテンツ提供方法は、ディジタル化されたコンテンツの提供が可能なコンテンツ提供方法であって、コンテンツの再生が可能なコンテンツ再生機器に書き込まれた暗号鍵と当該コンテンツ再生機器を管理するユーザに与えられたユーザ固有情報とを関連付けて顧客データベースに登録する登録ステップと、あるユーザにコンテンツを提供する場合、前記顧客データベースから当該ユーザに与えられたユーザ固有情報に基づいて暗号鍵を取得し、取得した暗号鍵を用いて、提供すべきコンテンツに電子透かしを埋め込む電子透かし埋め込みステップとを有することを特徴としている。
これによって、前記（１）のコンテンツ提供サーバと同様の効果が得られる。
【００３０】
（１０）本発明のコンテンツ再生方法は、前記（９）に記載のコンテンツ提供方法により提供されたディジタル化されたコンテンツをアナログ情報として再生可能なコンテンツ再生機器上でコンテンツ再生を行うコンテンツ再生方法であって、前記提供されたコンテンツに対し、前記コンテンツ提供サーバ側において暗号鍵を用いて埋め込まれた電子透かしを、自身に与えられた暗号鍵を用いて分離処理する電子透かし分離ステップと、この電子透かし分離ステップでの分離処理結果に基づいて、前記コンテンツに埋め込まれた電子透かしが適正に分離されたか否か判定する分離結果判定ステップと、前記分離結果判定ステップによって電子透かしが適正に分離されたと判定された場合には、その電子透かしを除去したコンテンツを再生処理するコンテンツ再生処理ステップとを有することを特徴としている。
これによって、前記（５）のコンテンツ再生機器と同様の効果が得られる。
【００３１】
なお、（９）のコンテンツ提供方法は前記コンテンツ提供サーバ同様、前記コンテンツ再生機器に書き込まれた暗号鍵と当該コンテンツ再生機器を管理するユーザに与えられたユーザ固有情報との関連付けは、前記コンテンツ再生機器に書き込まれた暗号鍵と当該コンテンツ再生機器の有する固有の機器情報とを関連付けし、かつ、その機器情報と当該コンテンツ再生機器を管理するユーザのユーザ固有情報とを関連付けることで行うようにしている。
【００３２】
また、前記埋め込むべき電子透かしは、可視の電子透かしと不可視の電子透かしの少なくとも一方としている。
【００３３】
また、前記コンテンツ再生機器が１人のユーザについて複数存在する場合、その１人のユーザに与えられたユーザ固有情報で複数のコンテンツ再生機器ごとの暗号鍵を管理可能としている。
【００３４】
また、（１０）のコンテンツ再生方法においても、前記（５）のコンテンツ再生機器と同様、前記分離結果判定手段によって電子透かしが適正に分離されなかったと判定されなかった場合は、電子透かしの埋め込まれたコンテンツを前記コンテンツ再生処理手段で再生処理するようにしている。
【００３５】
また、前記コンテンツ再生機器に記録された暗号鍵は、そのコンテンツ再生機器を管理するユーザから秘匿された状態で記録されるようにしている。
【発明を実施するための最良の形態】
【００３６】
以下、本発明の実施形態を説明する。なお、この実施形態で説明する内容は、本発明のコンテンツ提供サーバおよびコンテンツ再生機器ならびにコンテンツ提供システム、コンテンツ提供方法、コンテンツ再生方法の説明を含むものである。
【００３７】
また、この実施形態では、ユーザに提供されるコンテンツは画像データであるとして説明するが、本発明は画像に限らず音楽など音データにも適用できることは勿論である。
【００３８】
図１は本発明のコンテンツ提供システムの実施形態を説明する図であり、その構成を大別すると、サービスプロバイダ側のコンテンツ提供サーバ１と、少なくとも１つのユーザ側のユーザ端末２を有する構成となっており、両者はネットワーク３で接続されている。なお、ユーザ端末２はこの実施形態では、ネットワーク３に接続可能な情報処理機器（たとえば、ＰＣ）２１とこのＰＣ２１に接続されたコンテンツ再生機器２２を有している。
【００３９】
コンテンツ提供サーバ１は、顧客データベース１１、ユーザに提供可能なコンテンツを管理するコンテンツ管理サーバ１２、電子透かしの埋め込み処理を行う電子透かし埋め込み手段１３、埋め込むべき電子透かし（可視の電子透かしおよび不可視の電子透かし）を管理するライセンスサーバ１４を有している。このコンテンツ提供サーバ１の機能や動作などについては後に説明する。
【００４０】
一方、コンテンツ再生機器２２は、ディジタル化されたコンテンツ（この実施形態では画像データであるとする）をアナログ情報として出力可能な機器であって、たとえば、プリンタや画像表示装置などが考えられる。また、このコンテンツ再生機器２２は、記録手段としてたとえばフラッシュＲＯＭ２２１、電子透かしを分離する電子透かし分離手段２２２、分離結果を判定する分離結果判定手段２２３、コンテンツ（ディジタル化されたコンテンツ）をアナログ情報のコンテンツとして再生するコンテンツ再生処理手段２２４を有している。
【００４１】
このコンテンツ再生機器２２は、上述したように、プリンタや画像表示装置などであり、これら、プリンタや画像表示装置そのものは市販されている汎用的なものであるが、本発明を実現するために特定の機能を持たせている。
【００４２】
その特定の機能は、概略的には、記録手段（この例では、フラッシュＲＯＭ２２１）に書き込まれた暗号鍵とコンテンツ提供サーバ１側で電子透かしの埋め込みに用いられた暗号鍵との対応を判断し、対応が取れれば、コンテンツに埋め込まれた電子透かしを除去するといった機能であるが、その詳細は後に説明する。
【００４３】
図１で示した電子透かし分離手段２２２と分離結果判定手段２２３は、上述した機能を実現するためのものであり、電子透かし分離手段２２２は、電子透かしの埋め込まれたコンテンツに対し、フラッシュＲＯＭ２２１に記録された暗号鍵を用いて分離処理を行う。また、分離結果判定手段２２３は、電子透かし分離手段２２２による分離処理結果に基づいて、コンテンツに埋め込まれた電子透かしが適正に分離されたか否か判定するものである。
【００４４】
なお、フラッシュＲＯＭ２２１への暗号鍵の書き込みは、たとえば、コンテンツ再生機器２２の製造会社が製品出荷のときなどに書き込むことが考えられる。
【００４５】
この暗号化鍵は個々のコンテンツ再生機器２２ごとに固有なものであり、ユーザから秘匿された状態で書き込まれている。すなわち、そのコンテンツ再生機器２２を管理するユーザ（主にはそのコンテンツ再生機器２２を使用するユーザ）は、書き込まれた暗号鍵は認識することはできない。なお、この実施形態では、コンテンツ再生機器２２の製造会社がコンテンツ提供を行うサービスプロバイダを兼ねるものとする。
【００４６】
このサービスプロバイダは、コンテンツ再生機器２２のフラッシュＲＯＭ２２１に書き込まれた暗号鍵と当該コンテンツ再生機器２２の機器固有の情報としてたとえば機器製造番号（シリアル番号）とを関連付けてコンテンツ提供サーバ１の顧客データベース１１に登録する。
【００４７】
この暗号鍵を機器製造番号と関連付けて顧客データベース１１に登録するまでの処理を図２のフローチャートのステップＳ１からＳ４に示す。すなわち、コンテンツ再生機器２２に書き込むべき暗号鍵を生成して(ステップＳ１)、生成した暗号鍵をそのコンテンツ再生機器２２のフラッシュＲＯＭ２２１に書き込む（ステップＳ２）。そして、書き込んだ暗号鍵と機器製造番号とを関連付けて（ステップＳ３）、それを顧客データベース１１に登録する（ステップＳ４）。
【００４８】
一方、コンテンツ再生機器２２を管理（この「管理」を以下では「使用」という）するユーザは、サービスプロバイダにユーザ登録を行う。このとき、ユーザは自身に関する情報（住所、氏名、年齢など）の登録とともに、自分が使用するコンテンツ再生機器２２の機器製造番号を登録する。これによって、そのユーザには、当該プロバイダからユーザＩＤとこのユーザＩＤに対応したパスワードが与えられ、そのユーザＩＤとパスワードによって、有償・無償のサービスを受けることができるようになる。
【００４９】
サービスプロバイダは、ユーザに対してユーザＩＤとパスワードを発行すると、そのユーザＩＤとパスワードを当該ユーザによって登録された機器製造番号に関連付けて、コンテンツ提供サーバ１の顧客データベース１１に登録する。これによって、ユーザＩＤとそのユーザＩＤを有するユーザが使用するコンテンツ再生機器２２に書き込まれた暗号鍵とが当該コンテンツ再生機器２２の機器製造番号を介して関連付けられることになる。
【００５０】
このユーザＩＤを登録して、そのユーザＩＤとコンテンツ再生機器２２に書き込まれた暗号鍵とをコンテンツ再生機器２２の機器製造番号を介して関連付けるための登録処理手順を図３のフローチャートのステップＳ１からＳ４に示す。すなわち、当該ユーザに与えるべきユーザＩＤを生成して(ステップＳ１１)、生成したユーザＩＤをユーザに通知する（ステップＳ１２）。
そして、そのユーザＩＤとすでに登録された機器製造番号とを関連付けて（ステップＳ１３）、それを顧客データベース１１に登録する（ステップＳ１４）。
【００５１】
サービスプロバイダは、これら図２および図３のフローチャートに示すような登録処理を行うことにより、個々のユーザのユーザＩＤとそのユーザが使用するコンテンツ再生機器２２のフラッシュＲＯＭ２２１に書き込まれた暗号鍵とを当該コンテンツ再生機器２２の機器製造番号を介して関連付けることができる。このとき、そのコンテンツ再生機器２２のフラッシュＲＯＭ２２１に書き込まれた暗号鍵は、前述したように、当該ユーザは認識することはできない。
【００５２】
図４は顧客データベース１１のある１人のユーザについての登録内容を示す図である。
この図４からもわかるように、そのユーザに対しては、ユーザＩＤとこのユーザＩＤに対応したパスワードが与えられ、また、このユーザＩＤはそのユーザが使用するコンテンツ再生機器２２の機器製造番号（これをＮ１とする）と関連付けられ、さらに、この機器製造番号Ｎ１は、当該コンテンツ再生機器２２のフラッシュＲＯＭ２２１に書き込まれた暗号鍵（これを暗号鍵Ｋ１とする）と対応つけられている。
【００５３】
これによって、ユーザＩＤとそのユーザが使用するコンテンツ再生機器２２に書き込まれた暗号鍵Ｋ１は、当該コンテンツ再生機器２２の機器製造番号Ｎ１を介して関連付けられる。
【００５４】
なお、個々のユーザは複数のコンテンツ再生機器２２を使用する場合もあるので、コンテンツ提供サーバ１は、ある１人のユーザに与えたユーザＩＤで複数のコンテンツ再生機器２２を管理することができるようにする。この場合、当該ユーザが使用する複数のコンテンツ再生機器２２ごとに固有の暗号鍵（これを暗号鍵Ｋ１，Ｋ２とする）を生成し、それぞれの暗号鍵Ｋ１，Ｋ２を、対応するコンテンツ再生機器２２に書き込む。
【００５５】
図５は１人のユーザが複数（この例では２台）のコンテンツ再生機器２２を使用する場合の顧客データベース１１の登録内容を示す図である。
【００５６】
このように、１人のユーザが複数（この例では２台）のコンテンツ再生機器２２を使用する場合は、この図５からもわかるように、そのユーザのユーザＩＤとそのユーザが使用する２台のコンテンツ再生機器（一方をコンテンツ再生機器２２Ａとし、他方をコンテンツ再生機器２２Ｂとする）それぞれに書き込まれたそれぞれの暗号鍵Ｋ１，Ｋ２とがそれぞれのコンテンツ再生機器２２Ａ，２２Ｂの機器製造番号（これをＮ１，Ｎ２とする）を介して関連付けられている。すなわち、ユーザＩＤとコンテンツ再生機器２２Ａの暗号鍵Ｋ１は、コンテンツ再生機器２２Ａの機器製造番号Ｎ１を介して関連付けられ、また、ユーザＩＤとコンテンツ再生機器２２Ｂの暗号鍵Ｋ２は、コンテンツ再生機器２２Ｂの機器製造番号Ｎ２を介して関連付けられている。
【００５７】
以上のようにして、ユーザのサービスプロバイダへの登録、すなわち、コンテンツ提供サーバ１の顧客データベース１１への登録が終了する。
【００５８】
次に、コンテンツ提供サーバ１からユーザに対するコンテンツ提供処理について説明する。まず、実施形態１として、ユーザの使用するコンテンツ再生機器２２は１台であって、そのコンテンツ再生機器２２はプリンタであるとして説明する。また、この実施形態１では、コンテンツ提供サーバ１側では、配信すべきコンテンツに対して埋め込む電子透かしは、不可視の電子透かしであるとする。
【００５９】
まず、コンテンツを取得しようとするユーザは、自分に与えられたユーザＩＤとパスワードによって、そのサービスプロバイダの運営するコンテンツ販売サイトにログインし、希望するコンテンツのダウンロード要求を行う。
【００６０】
このように、ユーザから希望するコンテンツのダウンロード要求がなされると、そのサービスプロバイダのコンテンツ提供サーバ１では、図６に示すような手順によるコンテンツ配信処理を行う。
【００６１】
まず、コンテンツ提供サーバ１は、コンテンツダウンロード要求のあったユーザのユーザＩＤとパスワードを取得し（ステップＳ２１）、パスワードが正当か否かを判定する（ステップＳ２２）。
【００６２】
そして、パスワードが正当でなければ、その時点でコンテンツ配信処理を終了し、パスワードが正当であれば、電子透かし埋め込み手段１３は、当該ユーザに配信すべきコンテンツをコンテンツ管理サーバ１２から取得し、取得したコンテンツに電子透かしを埋め込む（ステップＳ２３）。
【００６３】
このとき、上述したように、ここでは、埋め込む電子透かしは、不可視の電子透かしとしているので、電子透かし埋め込み手段１３は、埋め込むべき不可視の電子透かしをライセンスサーバ１４から読み出して、その読み出された不可視の電子透かしを、ユーザに配信すべきコンテンツに埋め込む。
【００６４】
この不可視の電子透かしの埋め込みは、そのユーザＩＤに関連付けられて顧客データベース１１に登録されている暗号鍵、すなわち、そのユーザＩＤを持つユーザが使用するコンテンツ再生機器２２（プリンタとする）の機器製造番号に対応つけられている暗号鍵Ｋ１を用いて、あらかじめ設定されたアルゴリズムにより埋め込む。
【００６５】
このようにして、配信すべきコンテンツに不可視の電子透かしが埋め込まれると、その不可視の電子透かしが埋め込まれコンテンツはネットワーク３を介して該当するユーザ宛に配信される（ステップＳ２４）。
【００６６】
図７はコンテンツ再生機器２２側の処理手順を説明するフローチャートであり、このフローチャートを参照しながらコンテンツ再生機器２２側の処理について説明する。
【００６７】
ネットワーク３を介して配信されてくるコンテンツは、まず、ＰＣ２１によって受信されたのち、そのＰＣ２１からコンテンツ再生機器２２にコンテンツが渡される。
【００６８】
そして、コンテンツ再生機器２２はＰＣ２１から電子透かしの埋め込まれたコンテンツを受け取ると（ステップＳ３１）、そのコンテンツ再生機器２２に設けられた電子透かし分離手段２２２では、まず、フラッシュＲＯＭ２２１に書き込まれた暗号鍵Ｋ１を用いて、予め設定されたアルゴリズムにより、電子透かしの分離処理を行う（ステップＳ３２）。そして、この分離処理によって電子透かしが適正に分離されたか否かを判定する（ステップＳ３３）。
【００６９】
このステップＳ３３での電子透かしが適正に分離されたか否かの判定処理は、分離結果判定手段２２３で行われるもので、たとえば、電子透かしが適正に分離されたときのみに読み出すことのできるデータ（配信先のユーザ機器を特定できる情報やユーザを特定できる情報など種々考えられる）が付加されていれば、その電子透かしは適正に分離されたと判定する。
【００７０】
このように、コンテンツ提供サーバ１側で埋め込まれた電子透かしがコンテンツ再生機器２２側で適正に分離できるということは、コンテンツ提供サーバ１側で電子透かしデータの埋め込みに用いた暗号鍵Ｋ１と、コンテンツ再生機器２２のフラッシュＲＯＭに書き込まれている暗号鍵Ｋ１が対応しているということであり、それは、このコンテンツ再生機器２２が正当なコンテンツ再生機器であることが認証されたことでもある。
【００７１】
そして、ステップＳ３３において、電子透かし（不可視の電子透かし）が適正に分離されたと判定された場合は、不可視の電子透かしが除去されたコンテンツがコンテンツ再生処理手段２２４によって再生処理される（ステップＳ３４）。この場合は、コンテンツ再生機器２２はプリンタであるとしているので、コンテンツ再生処理手段２２４は印刷処理を行うものであり、その印刷結果が出力される。このとき、印刷処理されるコンテンツは、不可視の電子透かしが除去されているので、本来のコンテンツそのものが印刷処理される。したがって、その印刷結果としての画像は高品質なものとなる。
【００７２】
一方、ステップＳ３３において、電子透かしが適正に分離されなかった場合は、その電子透かし（不可視の電子透かし）の埋め込まれたコンテンツがコンテンツ再生処理手段２２４によって再生処理される（ステップＳ３５）。なお、不可視の電子透かし埋め込まれたまま印刷されると、プリンタは解像度が高いのが一般的であるので、その印刷結果は、不可視の電子透かしの存在により多少の画質の劣化が確認される場合もある。
【００７３】
以上説明したように、ユーザからのコンテンツダウンロード要求に基づいて、コンテンツ提供サーバ１から配信されてきたコンテンツを当該ユーザの使用するコンテンツ再生機器２２で再生しようとする場合、そのユーザとそのユーザの使用するコンテンツ再生機器が正当であると判定されると、ディジタル化されたコンテンツがアナログ情報として出力される段階、すなわち、上述の例では、コンテンツ再生機器２２としてのプリンタによって印刷される段階で、当該コンテンツに埋め込まれた電子透かし（この例では不可視の電子透かし）を除去するようにしている。
【００７４】
このように、ディジタル化されたコンテンツがアナログ情報として出力される段階で、当該コンテンツに埋め込まれた電子透かしを除去するようにしているので、たとえば、これらコンテンツ再生機器２２が図１に示すように、ＰＣ２１に接続されている場合、ＰＣ２１上では電子透かしの除去はなされない。したがって、当該コンテンツデータをＰＣ２１上でハードディスクや他の記録媒体にコピーしたとしても、そのコンテンツは電子透かしが埋め込まれたままのデータであるので、ディジタル化されたコンテンツの不正利用を防止することができる。
【００７５】
また、前述したように、このコンテンツ再生機器２２で電子透かし（不可視の電子透かし）を正常に分離できなかった場合は、その不可視の電子透かしの埋め込まれたコンテンツをそのままコンテンツ再生機器２２（この場合はプリンタ）で印刷させることができる。
【００７６】
次に本発明の実施形態２について説明する。この実施形態２は、１人のユーザが複数（ここでは２台）のコンテンツ再生機器２２を使用する場合についての一例を説明するものであり、この実施形態２では、一方をコンテンツ再生機器２２Ａ、他方をコンテンツ再生機器２２Ｂとする。
【００７７】
ここで、コンテンツ再生機器２２Ａは画像表示の可能な画像表示装置、コンテンツ再生機器２２Ｂはプリンタであるとし、これら、画像表示装置とプリンタは、図１で示したように、フラッシュＲＯＭ２２１、電子透かし分離手段２２２、分離結果判定手段２２３、コンテンツ再生処理手段２２４を有しているものとする。
【００７８】
なお、この実施形態２では、コンテンツ再生機器２２Ａを画像表示装置２２Ａ、コンテンツ再生機器２２Ｂをプリンタ２２Ｂとして説明する。
【００７９】
また、ここで用いる画像表示装置２２Ａは、図８に示すように、ＰＣなどに接続することなく、その画像表示装置２２Ａに設けられた記録媒体挿入口２２６に、ＣＤＲＯＭやメモリカードなどの記録媒体３１を挿入して、所定の操作を行うことによって、その記録媒体３１に記録されたコンテンツを読み取ってディスプレイ画面２２５上に表示可能な機能を有しているものであるとする。
【００８０】
また、この画像表示装置２２Ａは、プリンタ２２Ｂの接続が可能となっており、そのプリンタ２２Ｂでコンテンツを印刷させることができるようになっているものとする。
【００８１】
また、この実施形態２では、コンテンツ提供サーバ１で提供されるコンテンツは、サービスプロバイダ側でユーザの要求に応じて、ユーザの所望とするコンテンツを記録したＣＤＲＯＭやメモリカードなどの記録媒体３１を作成し、その記録媒体３１を当該ユーザに何らかの方法で配布するものとする。
【００８２】
または、ネットワーク３を介してコンテンツをＰＣ２１にダウンロードした後、記録媒体３１にコンテンツを書き込んでもよい。
【００８３】
なお、画像表示装置２２Ａがネットワークに接続可能な機能を有していれば、実施形態１で説明した同様に、ネットワーク３を介してコンテンツの取得ができることは勿論である。
【００８４】
また、画像表示装置２２Ａおよびプリンタ２２Ｂは、それぞれのフラッシュＲＯＭ２２１に暗号鍵（画像表示装置２２Ａには暗号鍵Ｋ１、プリンタ２２Ｂには暗号鍵Ｋ２）が書き込まれているとする。
【００８５】
また、これら画像表示装置２２Ａおよびプリンタ２２Ｂは、コンテンツ提供サーバ１の顧客データベース１１に対して、図５で示すような関連付けがなされた状態ですでに登録されているものとする。
【００８６】
次に、この実施形態２の処理手順について説明する。まず、コンテンツの配布を要求するユーザは、自分に与えられたユーザＩＤとパスワードによって、そのサービスプロバイダの運営するコンテンツ販売サイトにログインし、コンテンツの配布要求を行う。
【００８７】
このように、ユーザからコンテンツの配布要求がなされると、サービスプロバイダでは、図９に示すような手順によるコンテンツ配布処理を行う。なお、この場合、埋め込む電子透かしは、可視の電子透かしと不可視の電子透かしの両方であるとし、可視の電子透かしは、暗号鍵Ｋ１を用いて埋め込みを行い、不可視の電子透かしは暗号鍵Ｋ２を用いて埋め込むものとする。
【００８８】
まず、サービスプロバイダは、コンテンツ配布要求のあったユーザのユーザＩＤとパスワードを取得し（ステップＳ４１）、パスワードが正当か否かを判定する（ステップＳ４２）。
【００８９】
そして、パスワードが正当でなければ、その時点でコンテンツ配布処理を終了し、パスワードが正当であれば、当該ユーザに配布すべきコンテンツに電子透かしを埋め込む。
【００９０】
このとき、上述したように、この実施形態２では、埋め込む電子透かしは、可視の電子透かしと不可視の電子透かしの両方であるとしているので、電子透かし埋め込み手段１３は、まず、埋め込むべき可視の電子透かしをライセンスサーバ１４から取得して、その取得した可視の電子透かしを、配布すべきコンテンツに埋め込む。
【００９１】
この可視の電子透かしの埋め込みは、そのユーザＩＤに関連付けられて顧客データベース１１に登録されている暗号鍵、すなわち、この場合、画像表示装置２２Ａの機器製造番号に対応つけられて顧客データベース１１に登録されている暗号鍵Ｋ１を用いて、予め設定されたアルゴリズムにより埋め込む（ステップＳ４３）。
【００９２】
このようにして、配布すべきコンテンツに可視の電子透かしが埋め込まれると、埋め込むべき不可視の電子透かしをライセンスサーバ１４から取得して、その取得した不可視の電子透かしを、配布すべきコンテンツに埋め込む（ステップＳ４４）。
【００９３】
この不可視の電子透かしの埋め込みは、そのユーザＩＤに関連付けられて顧客データベース１１に登録されている暗号鍵、すなわち、この場合、プリンタ２２Ｂの機器製造番号に対応つけられつけ顧客データベース１１に登録されている暗号鍵Ｋ２を用いて、予め設定されたアルゴリズムにより埋め込む。
【００９４】
以上のようにして、可視の電子透かしと不可視の電子透かしが、配布すべきコンテンツに埋め込まれると、その可視の電子透かしと不可視の電子透かしの埋め込まれたコンテンツは、ＣＤＲＯＭやメモリカードなどの記録媒体３１に記録され、その記録媒体３１を該当するユーザに何らかの方法で配布する（ステップＳ４５）。
【００９５】
図１０はコンテンツ再生機器側、すなわち、画像表示装置２２Ａとプリンタ２２Ｂの処理手順を説明するフローチャートであり、このフローチャートを参照しながらコンテンツ再生処理について説明する。
【００９６】
ユーザが電子透かし（この例では、可視の電子透かしと不可視の電子透かし）の埋め込まれたコンテンツの記録された記録媒体３１を受け取り、その記録媒体３１を画像表示装置２２Ａの記録媒体挿入口２２６に挿入し、所定の操作を行うことで、画像表示装置２２Ａはコンテンツの読み取りを行う（ステップＳ５１）。
【００９７】
そして、その画像表示装置２２Ａに設けられた電子透かし分離手段２２２では、まず、フラッシュＲＯＭ２２１に書き込まれた暗号鍵Ｋ１を用いて、予め設定されたアルゴリズムにより電子透かしの分離処理を行う（ステップＳ５２）。続いて、この分離処理によって電子透かしが適正に分離されたか否かを判定する（ステップＳ５３）。このステップＳ５３の判定処理は、前述の実施形態１の図７のステップＳ３３の処理で説明したのでここでは省略する。
【００９８】
そして、ステップＳ５３において、電子透かしが適正に分離されたと判定された場合は、コンテンツ再生処理手段２２４によって、電子透かし（可視の電子透かし）の除去されたコンテンツ（このときは不可視の電子透かしは埋め込まれている）の再生処理が行われる（ステップＳ５４）。これによって、画像表示装置２２Ａのディスプレイ画面２２５上には、可視の電子透かしの除去されたコンテンツの表示がなされる。
【００９９】
このディスプレイ画面２２５上で表示されるコンテンツは、可視の電子透かしは除去されているが、不可視の電子透かしは埋め込まれたままである。しかし、画像表示装置２２Ａなどの表示装置は、プリンタなどに比べると、解像度が低いのが一般的である。したがって、不可視の電子透かしが埋め込まれていても、画質の劣化が視認できるほどではない。
【０１００】
一方、ステップＳ５３において、電子透かし（可視の電子透かし）が適正に分離されなかった場合は、その可視の電子透かしの埋め込まれたコンテンツに対する再生処理がなされる（ステップＳ５５）。これによって、可視の電子透かしが埋め込まれたコンテンツが画像表示装置２２Ａのディスプレイ画面２２５上に表示される。
【０１０１】
なお、可視の電子透かしが適正に分離されなかった場合は、もともと埋め込まれていた可視の電子透かしをそのまま表示することも勿論可能であるが、他の情報（たとえば、可視の電子透かしが埋め込まれていることをそのユーザに積極的に知らせるような情報など）に変換して表示させるようにしてもよい。
【０１０２】
次に、この可視の電子透かしの除去されたコンテンツはプリンタ２２Ｂに転送される（ステップＳ５６）。このプリンタ２２Ｂでは転送されてきたコンテンツに対して画像表示装置２２Ａとほぼ同様の処理を行う。
【０１０３】
すなわち、このプリンタ２２Ｂに設けられた電子透かし分離手段２２２は、電子透かし（この例では、可視の電子透かしはすでに除去されているので、不可視の電子透かし）の埋め込まれたコンテンツに対し、まず、フラッシュＲＯＭ２２１に書き込まれた暗号鍵Ｋ２を用いて、予め設定されたアルゴリズムにより電子透かしの分離処理を行う（ステップＳ５７）。
【０１０４】
そして、電子透かしが適正に分離されたか否かを判定し（ステップＳ５８）、適正に分離された場合は、その電子透かし（不可視の電子透かし）の分離されたコンテンツ（可視の電子透かしはすでに除去されている）に対して、コンテンツ再生処理を行い（ステップＳ５９）、そのコンテンツ再生処理結果(この場合は印刷結果)を出力する。
【０１０５】
このように、プリンタ２２Ｂにおいて、不可視の電子透かしが適正に分離されると、このプリンタ２２Ｂで印刷処理されるコンテンツは、可視の電子透かしと不可視の電子透かしの除去されたコンテンツであるので、本来のコンテンツそのものの品質で印刷処理がなされ、その印刷結果として、高品質な画像を得ることができる。
【０１０６】
一方、ステップＳ５８において、電子透かし（不可視の電子透かし）が適正に分離されなかった場合は、その不可視の電子透かしの埋め込まれたコンテンツに対してコンテンツ再生処理がなされ（ステップＳ６０）、不可視の電子透かしの埋め込まれたコンテンツが印刷結果として出力される。
【０１０７】
なお、不可視の電子透かし埋め込まれたままプリンタ２２Ｂで印刷されると、プリンタはディスプレイなどの表示装置に比べて解像度が高いのが一般的であるので、不可視の電子透かしの存在により多少の画質の劣化が確認される場合もある。
【０１０８】
この実施形態２の場合も、実施形態１と同様に、ディジタル化されたコンテンツをアナログ情報に変換する段階で、それぞれのコンテンツ再生機器（画像表示装置２２Ａとプリンタ２２Ｂ）が正当であると認められた場合に、電子透かしを除去するようにしている。これによって、電子透かしの除去されたディジタルデータのコンテンツが他の記録媒体にコピーされるのを防ぐことができ、ディジタル化されたコンテンツの不正使用を防止することができる。
【０１０９】
なお、本発明は上述の実施形態に限られるものではなく、本発明の要旨を逸脱しない範囲で種々変形実施可能となるものである。たとえば、前述の各実施形態では、コンテンツは画像データとして説明したが、画像データに限らず音楽などの音データであってもよい。この場合、コンテンツ再生機器２２は、その音データの出力が可能な音出力装置であり、図１で説明したように、フラッシュＲＯＭ２２１、電子透かし分離手段２２２、分離結果判定手段２２３、コンテンツ再生処理手段２２４を有した構成とすればよい。
【０１１０】
また、本発明は以上説明した本発明を実現するための処理手順が記述された処理プログラムを作成し、その処理プログラムをフロッピィディスク、光ディスク、ハードディスクなどの記録媒体に記録させておくこともでき、本発明は、その処理プログラムの記録された記録媒体をも含むものである。また、ネットワークから当該処理プログラムを得るようにしてもよい。
【図面の簡単な説明】
【０１１１】
【図１】本発明のコンテンツ提供システムの一例を示す構成図である。
【図２】本発明の顧客データベースへの登録処理（暗号鍵を機器製造番号と関連付けて顧客データベースに登録する処理）を説明するフローチャートである。
【図３】本発明の顧客データベースへの登録処理（ユーザＩＤとコンテンツ再生機器２２に書き込まれた暗号鍵とを機器製造番号を介して関連付けるための登録処理）を説明するフローチャートである。
【図４】ユーザＩＤとそのユーザが使用するコンテンツ再生機器に書き込まれた暗号鍵とを当該コンテンツ再生機器の機器製造番号を介して関連付けた状態を示す図である。
【図５】図４において1人のユーザが使用するコンテンツ再生機器が複数台の場合を説明する図である。
【図６】本発明の実施形態１におけるコンテンツ提供サーバ側のコンテンツ提供処理手順を説明するフローチャートである。
【図７】本発明の実施形態１におけるコンテンツ再生機器のコンテンツ再生処理手順を説明するフローチャートである。
【図８】本発明の実施形態２のユーザ端末側の構成を説明する図である。
【図９】本発明の実施形態２におけるコンテンツ提供サーバ側のコンテンツ提供処理手順を説明するフローチャートである。
【図１０】本発明の実施形態２におけるコンテンツ再生機器のコンテンツ再生処理手順を説明するフローチャートである。
【符号の説明】
【０１１２】
１  コンテンツ提供サーバ、２  ユーザ端末、３、ネットワーク、１１  顧客データベース、１２  コンテンツ管理サーバ、１３  電子透かし埋め込み手段、１４  ライセンスサーバ、２１  パーソナルコンピュータ（ＰＣ）、２２  コンテンツ再生機器、２２１  フラッシュＲＯＭ、２２２  電子透かし分離手段、２２３  分離結果判定手段、２２４  コンテンツ再生処理手段、２２Ａ  コンテンツ再生機器（画像表示装置）、２２Ｂ  コンテンツ再生機器（プリンタ）、３１  記録媒体
【図１】
2005080185.tif 000003
【図２】
2005080185.tif 000004
【図３】
2005080185.tif 000005
【図４】
2005080185.tif 000006
【図５】
2005080185.tif 000007
【図６】
2005080185.tif 000008
【図７】
2005080185.tif 000009
【図８】
2005080185.tif 000010
【図９】
2005080185.tif 000011
【図１０】
2005080185.tif 000012